【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
選択されたデータオブジェクトを、少なくとも一つのローカル記憶装置（ＳＤＬ）から、少なくとも一つのリモート記憶装置（ＳＤＲｘ）へとミラーリングする方法において、
前記の少なくとも一つのローカル記憶装置は、第１の処理機構（ＨＬ）に対して接続され、前記の少なくとも一つのリモート記憶装置は、第２の処理機構（ＨＲ）に対して接続され、前記の少なくとも一つのローカル記憶装置と、前記の少なくとも一つのリモート記憶装置と、前記第１および第２の処理機構とは、複数のユーザ、複数の処理機構、および複数の記憶装置を含むネットワーク接続部に対して接続され、前記方法は、
前記第１および第２の処理機構にてミラーリング機能を実行するステップであって、前記ミラーリング機能は、
選択されたデータオブジェクトを凍結する凍結手順と、
凍結され選択されたデータオブジェクトを少なくとも一つのリモート記憶装置にコピーするためのコピー手順とを有するステップと、
ミラーリング機能の実行と並行して、選択されたデータオブジェクトの使用および更新を可能にするステップと、
ミラーリング中断コマンドを受信しない限り、選択されたデータオブジェクトに更新をコピーするためにミラーリング機能を繰り返し実行することを、デフォルトで命令するステップとを含み、
前記の少なくとも一つのローカル記憶装置内にある選択されたデータオブジェクトがコピーされ、前記の少なくとも一つのリモート記憶装置へ順に更新されることを特徴とする、選択されたデータオブジェクトをローカル記憶装置からリモート記憶装置へとミラーリングする方法。
【請求項２】
前記ミラーリング機能は、
凍結手順を、ソースボリューム（ＳＶ）として選択されたデータオブジェクトに適用するステップと、
少なくとも一つのローカル補助ボリューム（ＡＶＬ）を作成するステップであって、該ローカル補助ボリュームに対して、選択されたデータオブジェクトへ向けられた更新がリダイレクトされ、選択されたデータオブジェクトのうちの各単独のデータオブジェクトは、少なくとも一つのローカル補助ボリュームのうちの一つのローカル補助ボリュームに対応しているステップと、
前記少なくとも一つのリモート記憶装置のうちの各リモート記憶装置内に、少なくとも一つのリモートボリュームを、作成された各ローカル補助ボリュームに対応させて作成するステップと、
凍結され選択されたデータオブジェクトおよび少なくとも一つのローカル補助ボリュームを含む少なくとも一つの結果としてのソースボリュームを、前記の少なくとも一つのローカル記憶装置内に形成するステップと、
凍結され選択されたデータオブジェクトを、前記の少なくとも一つの結果としてのボリュームから前記の少なくとも一つのリモート記憶装置へとコピーするためのコピー手順を適用するステップとを、さらに含むことを特徴とする請求項１記載の方法。
【請求項３】
２つ以上のデータオブジェクトに対して、ミラーリング機能を同時に適用するステップを、さらに含むことを特徴とする請求項１記載の方法。
【請求項４】
少なくとも一つのローカル記憶装置から少なくとも一つのリモート記憶装置へと、および、その逆の方向へと、同時にミラーリングするステップを、さらに含むことを特徴とする請求項１から３のいずれか一項に記載の方法。
【請求項５】
前記ミラーリング機能は、
２つ以上のデータオブジェクトを同時に凍結させるための凍結手順を適用するステップを、さらに含むことを特徴とする請求項２記載の方法。
【請求項６】
前記ミラーリング機能は、
２つ以上の凍結された選択されたデータオブジェクトを同時にコピーするために、コピー手順を適用するステップを、さらに含むことを特徴とする請求項２記載の方法。
【請求項７】
一つのローカル記憶装置内にある一つの単独のデータオブジェクトを、２つ以上のリモート記憶装置へ同時にミラーリングするステップを、さらに含むことを特徴とする請求項１または２記載の方法。
【請求項８】
２つ以上の単独のデータオブジェクトを、一つのローカル記憶装置から一つのリモート記憶装置へと同時にミラーリングするステップを、さらに含むことを特徴とする請求項１または２記載の方法。
【請求項９】
複数の単独のデータオブジェクトであってそれぞれが同数のローカル記憶装置内にあるデータオブジェクトを、一つのリモート記憶装置へ同時にミラーリングするステップを、さらに含むことを特徴とする請求項１または２記載の方法。
【請求項１０】
一つのローカル記憶装置内にある複数の単独のデータオブジェクトを、それぞれ、同数のリモート記憶装置へ同時にミラーリングするステップを、さらに含むことを特徴とする請求項１または２記載の方法。
【請求項１１】
複数のローカル記憶装置のうちの各々のローカル記憶装置内にある一つの単独のデータオブジェクトを、一つのリモート記憶装置へ同時にミラーリングするステップを、さらに含むことを特徴とする請求項１または２記載の方法。
【請求項１２】
ミラーリングは、
選択された時点にて、
ミラーリングサイクルを開始するステップと、
選択されたデータオブジェクトを凍結するステップと、
少なくとも一つのローカル補助ボリューム（ＡＶＬ）を、少なくとも一つのローカル記憶装置（ＳＤＬ）内に作成すると共に、少なくとも一つのリモートボリューム（ＲＶ）を、少なくとも一つのリモート記憶装置（ＳＤＲｘ）内に作成するステップと、
凍結され選択されたデータオブジェクトおよびローカル補助ボリューム（ＡＶＬ）を含む少なくとも一つの結果としてのソースボリュームを形成するステップと、
前記選択された時点後に、
凍結され選択されたデータオブジェクトを、結果としてのソースボリュームから少なくとも一つのローカル補助ボリュームへと、コピーが完了するまでコピーするステップと、
選択されたデータオブジェクトへ向けられた更新を、ローカル補助ボリュームへリダイレクトするステップと、
結果としてのソースボリュームとの連携動作により、ミラーリング中に、選択されたデータオブジェクトの使用を可能にするステップと、
少なくとも一つのリモート記憶装置へのコピー完了後、ミラーリング中断コマンドを受信しない限り、デフォルトコマンドにより、次のミラーリングサイクルを繰り返すステップとを、さらに含むことを特徴とする請求項１記載の方法。
【請求項１３】
ミラーリングは、
少なくとも一つのリモート記憶装置へのコピー完了後、次の時点にて、次のミラーリングサイクルを開始するステップと、
結果としてのソースボリュームを凍結するステップと、
最終のローカル補助ボリュームを、前記ローカル記憶装置内に作成すると共に、最終のリモートボリュームを、前記の少なくとも一つのリモート記憶装置内に作成するステップと、
最後から２番目の結果としてのソースボリュームおよび最終のローカル補助ボリュームを含む、最終の結果としてのソースボリュームを形成するステップと、
前記次の時点後に、
最後から２番目のローカル補助ボリュームを、最終のリモートボリュームへコピーするステップと、
選択されたデータオブジェクトへと向けられた更新を、最終のローカル補助ボリュームへリダイレクトするステップと、
最終の結果としてのソースボリュームとの連携動作により、ミラーリング中に、選択されたデータオブジェクトの使用を可能にするステップと、
最終のリモートボリュームへのコピー完了後、
最後から２番目のローカル補助ボリュームを、凍結され選択されたデータオブジェクトに同期させるステップと、
前記第２の処理機構（ＨＲ）のコマンドにより、少なくとも一つの最終のリモートボリュームを、最後から２番目のリモートボリュームに同期させるステップと、
前記の少なくとも一つの第２の記憶装置へのコピー完了後、ミラーリング中断コマンドを受信しない限り、デフォルトコマンドにより、次のミラーリングサイクルを繰り返すステップとを、さらに含むことを特徴とする請求項１２記載の方法。
【請求項１４】
ミラーリングは、
最後から２番目のローカル補助ボリュームのコピー完了後に起こるさらに別の時点を選択するステップと、
結果としてのソースボリュームを凍結するステップと、
最終のローカル補助ボリュームを、前記ローカル記憶装置内に作成すると共に、最終のリモートボリュームを、前記の少なくとも一つのリモート記憶装置内に作成するステップと、
最後から２番目の結果としてのソースボリュームおよび最終のローカル補助ボリュームを含む、最終の結果としてのソースボリュームを形成するステップと、
最後から２番目のローカル補助ボリュームを、少なくとも一つの最終のリモートボリュームへコピーするステップと、
選択されたデータオブジェクトへ向けられた更新を、最終のローカル補助ボリュームへとリダイレクトするステップと、
最終の結果としてのソースボリュームとの連携動作により、ミラーリング中に、選択されたデータオブジェクトの使用を可能にするステップと、
最後から２番目のローカル補助ボリュームを、選択されたデータオブジェクトに同期させるステップと、
少なくとも一つの最終のリモートボリュームを、最後から２番目のリモートボリュームに同期させるステップと、
前記の少なくとも一つの第２の記憶装置へのコピー完了後、ミラーリング中断コマンドを受信しない限り、デフォルトコマンドにより、次のミラーリングサイクルを繰り返すステップとを、さらに含むことを特徴とする請求項１３記載の方法。
【請求項１５】
ミラーリングは、
最後から２番目のローカル補助ボリュームより前のコピーが完了した時点にて入力された更新を含む選択されたデータオブジェクトの完全にミラーリングされたコピーを、前記の少なくとも一つのリモート記憶装置内に格納するステップを、さらに含むことを特徴とする請求項１４記載の方法。
【請求項１６】
ミラーリングは、データボリューム、仮想ボリューム、データファイル、システムファイル、アプリケーションプログラム、オペレーションシステム、データ構造、およびデータベースレコードからなるグループから選択されたデータオブジェクトに対して、適用可能であることを特徴とする請求項１記載の方法。
【請求項１７】
ミラーリングは、ローカルエリア・ネットワーク、ワイドエリア・ネットワーク、およびストレージエリア・ネットワークからなるグループから選択されたネットワーク接続部に対して、適用可能であることを特徴とする請求項１記載の方法。
【請求項１８】
ミラーリングは、
少なくとも最終のローカル補助ボリュームを最終のリモートボリュームへコピーする時間にわたって継続するものと規定された離散反復時間間隔で、ミラーリング機能の動作を繰り返すことを、さらに含むことを特徴とする請求項１記載の方法。
【請求項１９】
ミラーリングは、
更新を同期させて、選択されたデータオブジェクトを上書きし、
後のリモートボリュームを同期させて、最後から２番目の結果としての第１のリモートボリュームを上書きすることを、さらに含むことを特徴とする請求項１記載の方法。
【請求項２０】
選択されたデータオブジェクトは、コンテンツの一部、コンテンツの全部、および前記ローカル記憶装置のコンテンツよりも多くのコンテンツからなるコンテンツ範囲のグループから選択されたコンテンツ範囲を含むことを特徴とする請求項１記載の方法。
【請求項２１】
ミラーリングは、
前記ローカル記憶装置（ＳＤＬ）にて、時刻（ｔ）がｔ＝１の時点で、
カウンタをｓ＝１に設定し、ローカル補助ボリューム（ｓ）を作成するステップと、
選択されたデータオブジェクトを凍結し、ローカル補助ボリューム（ｓ）および選択されたデータオブジェクトを、結果としてのソースボリューム（ｓ）に含めるステップと、
結果としてのソースボリューム（ｓ）に関連してデータオブジェクトを使用することを可能にするステップと、
少なくとも一つのリモート記憶装置にて、
時刻（ｔ）にて、リモートボリューム（ｓ）を、少なくともデータオブジェクトと等しいサイズで作成するステップと、
時刻（ｔ）で開始して、
凍結されたデータオブジェクトを、結果としてのソースボリューム（ｓ）からリモートボリューム（ｓ）へと、コピーが完了するまでコピーするステップとを、さらに含み、
時刻（ｔ）にて凍結されたデータオブジェクトが、前記の少なくとも一つのリモート記憶装置にてミラーリングされることを特徴とする請求項１記載の方法。
【請求項２２】
ミラーリングは、
前記ローカル記憶装置にて、前記の少なくとも一つのリモート記憶装置へのコピー完了後に起こる時刻（ｔ）がｔ＝ｔ＋１の時点で、
ａ．カウンタをｓ＝ｓ＋１へと増加させるステップと、
ｂ．ローカル補助ボリューム（ｓ）を作成するステップと、
ｃ．結果としてのソースボリューム（ｓ−１）を凍結させ、ローカル補助ボリューム（ｓ）および結果としてのソースボリューム（ｓ−１）を、結果としての仮想ボリューム（ｓ）に含めるステップと、
ｄ．結果としてのローカルボリューム（ｓ）に関連してデータオブジェクトを使用することを可能にするステップと、
前記の少なくとも一つのリモート記憶装置にて、
ｅ．時刻（ｔ）にて、リモートボリューム（ｓ）を、少なくともソースボリュームと等しいサイズで作成するステップと、
時刻（ｔ）で開始して、
ｆ．ローカル補助ボリューム（ｓ−１）を、結果としてのソースボリューム（ｓ）からリモートボリューム（ｓ）へとコピーして、コピーを完了するステップと、
ｇ．リモートボリューム（ｓ）をリモートボリューム（ｓ−１）に上書きすることにより、前記第２の処理機構を同期のために動作させるステップと、
前記第１の記憶装置（ＳＤＬ）にて、
ｈ．リモートボリューム（ｓ）をローカル補助ボリューム（ｓ−１）に上書きすることにより、前記第１の処理機構を同期のために動作させるステップと、
前記のステップｆの完了後、ミラーリング中断コマンドがない限り、前記のステップａ〜ステップｈをデフォルトで繰り返すことにより、ミラーリングを繰り返すステップとを、さらに含むことを特徴とする請求項１５記載の方法。
【請求項２３】
ボリューム、仮想ボリュームまたは論理ボリューム、およびファイルからなるグループから、ボリュームが選択されることを特徴とする請求項２２記載の方法。
【請求項２４】
時刻（ｔ−２）にて入力された更新を含む選択されたデータオブジェクトの完全にミラーリングされたコピーを、前記の少なくとも一つのリモート記憶装置内に時刻（ｔ）にて格納することを、さらに含むことを特徴とする請求項２２記載の方法。
【請求項２５】
選択されたデータオブジェクトを、少なくとも一つのローカル記憶装置（ＳＤＬ）から、少なくとも一つのリモート記憶装置（ＳＤＲｘ）へとミラーリングするシステムにおいて、
前記の少なくとも一つのローカル記憶装置は、第１の処理機構（ＨＬ）に対して接続され、前記の少なくとも一つのリモート記憶装置は、第２の処理機構（ＨＲ）に対して接続され、前記の少なくとも一つのローカル記憶装置と、前記の少なくとも一つのリモート記憶装置と、前記第１および第２の処理機構とは、複数のユーザ、複数の処理機構、および複数の記憶装置を含むネットワーク接続部に対して接続され、前記システムは、
前記第１および第２の処理機構にて実行されるミラーリング機能を備え、
該ミラーリング機能は、選択されたデータオブジェクトを凍結する凍結手順と、
凍結された選択されたデータオブジェクトを少なくとも一つのリモート記憶装置にコピーするコピー手順とを含み、
選択されたデータオブジェクトは、ミラーリング機能の実行と並行して使用されかつ更新され、
ミラーリング機能は、ミラーリング中断コマンドを受信しない限り、選択されたデータオブジェクトに更新をコピーするために、デフォルトコマンドにより実行され、前記の少なくとも一つのローカル記憶装置内にある選択されたデータオブジェクトがコピーされ、前記の少なくとも一つのリモート記憶装置へ順に更新されることを特徴とする、選択されたデータオブジェクトをローカル記憶装置からリモート記憶装置へとミラーリングするシステム。
【請求項２６】
前記ミラーリング機能は、
ソースボリューム（ＳＶ）として選択されたデータオブジェクトを凍結するために適用される凍結手順と、
少なくとも一つのローカル補助ボリューム（ＡＶＬ）であって、該ローカル補助ボリュームに対して、選択されたデータオブジェクトへ向けられた更新がリダイレクトされ、選択されたデータオブジェクトのうちの各単独のデータオブジェクトは、少なくとも一つのローカル補助ボリュームのうちの一つのローカル補助ボリュームに対応しているローカル補助ボリュームと、
作成された各ローカル補助ボリュームに対応させて、前記少なくとも一つのリモート記憶装置のうちの各リモート記憶装置内に作成される少なくとも一つのリモートボリュームと、
前記の少なくとも一つのローカル記憶装置内に形成されて、凍結され選択されたデータオブジェクトおよび少なくとも一つのローカル補助ボリュームを含む、結果としてのソースボリュームと、
凍結され選択されたデータオブジェクトを、前記の少なくとも一つの結果としてのボリュームから前記の少なくとも一つのリモート記憶装置へとコピーするために適用されるコピー手順とを、さらに含むことを特徴とする請求項２５記載のシステム。
【請求項２７】
２つ以上のデータオブジェクトに対して同時に適用されるミラーリング機能を、さらに含むことを特徴とする請求項２５記載のシステム。
【請求項２８】
少なくとも一つのローカル記憶装置から少なくとも一つのリモート記憶装置へと、および、その逆の方向へと、同時にミラーリングするように構成されたミラーリング機能を、さらに含むことを特徴とする請求項２５から２７のいずれか一項に記載のシステム。
【請求項２９】
２つ以上のデータオブジェクトを同時に凍結させるために適用される凍結手順を、さらに含むことを特徴とする請求項２６記載のシステム。
【請求項３０】
２つ以上の凍結された選択されたデータオブジェクトを同時にコピーするために適用されるコピー手順を、さらに含むことを特徴とする請求項２６記載のシステム。
【請求項３１】
前記ミラーリング機能は、
一つのローカル記憶装置内にある一つの単独のデータオブジェクトを、２つ以上のリモート記憶装置へ同時にミラーリングするための構成を、さらに含むことを特徴とする請求項２５または２６記載のシステム。
【請求項３２】
前記ミラーリング機能は、
２つ以上の単独のデータオブジェクトを、一つのローカル記憶装置から一つのリモート記憶装置へ同時にミラーリングするための構成を、さらに含むことを特徴とする請求項２５または２６記載のシステム。
【請求項３３】
前記ミラーリング機能は、
複数の単独のデータオブジェクトであってそれぞれが同数のローカル記憶装置内にあるデータオブジェクトを、一つのリモート記憶装置へ同時にミラーリングするための構成を、さらに含むことを特徴とする請求項２５または２６記載のシステム。
【請求項３４】
前記ミラーリング機能は、
一つのローカル記憶装置内にある複数の単独のデータオブジェクトを、それぞれ、同数のリモート記憶装置へ同時にミラーリングするための構成を、さらに含むことを特徴とする請求項２５または２６記載のシステム。
【請求項３５】
前記ミラーリング機能は、
複数のローカル記憶装置のうちの各々のローカル記憶装置内にある一つの単独のデータオブジェクトを、一つのリモート記憶装置へ同時にミラーリングするための構成を、さらに含むことを特徴とする請求項２５または２６記載のシステム。
【請求項３６】
ミラーリングは、
選択された時点にて、
ミラーリングサイクルが開始されることと、
選択されたデータオブジェクトが凍結されることと、
少なくとも一つのローカル補助ボリューム（ＡＶＬ）が、少なくとも一つのローカル記憶装置内に、少なくとも一つのリモートボリューム（ＲＶ）が、少なくとも一つのリモート記憶装置内に作成されることと、
凍結された選択されたデータオブジェクトおよびローカル補助ボリューム（ＡＶＬ）を含むように、少なくとも一つの結果としてのソースボリュームが形成されることと、
前記選択された時点後に、
凍結された選択されたデータオブジェクトが、結果としてのソースボリュームから少なくとも一つのリモートボリュームへと、コピーが完了するまでコピーされることと、
選択されたデータオブジェクトへと向けられた更新が、ローカル補助ボリュームへとリダイレクトされることと、
結果としてのソースボリュームとの連携動作により、ミラーリング中に、選択されたデータオブジェクトの使用が可能になることと、
少なくとも一つのリモート記憶装置へのコピー完了後、ミラーリング中断コマンドを受信しない限り、デフォルトコマンドにより、次のミラーリングサイクルが繰り返されることとを、さらに含むことを特徴とする請求項２５記載のシステム。
【請求項３７】
ミラーリングは、
少なくとも一つのリモート記憶装置へのコピー完了後、次の時点にて、次のミラーリングサイクルが開始されることと、
結果としてのソースボリュームが凍結されることと、
最終のローカル補助ボリュームが、前記ローカル記憶装置内に作成されると共に、最終のリモートボリュームが、前記の少なくとも一つのリモート記憶装置内に作成されることと、
最後から２番目の結果としてのソースボリュームおよび最終のローカル補助ボリュームを含むように、最終の結果としてのソースボリュームが形成されることと、
前記次の時点後に、
最後から２番目のローカル補助ボリュームが、最終のリモートボリュームへコピーされることと、
選択されたデータオブジェクトへ向けられた更新が、最終の結果としてのソースボリューム内の最終のローカル補助ボリュームへリダイレクトされることと、
最終の結果としてのソースボリュームとの連携動作により、ミラーリング中に、選択されたデータオブジェクトの使用が可能になることと、
最終のリモートボリュームへのコピー完了後、
最後から２番目のローカル補助ボリュームが、凍結された選択されたデータオブジェクトに同期することと、
前記リモート処理機構（ＨＲ）のコマンドにより、少なくとも一つの最終のリモートボリュームが、最後から２番目のリモートボリュームに同期することと、
前記の少なくとも一つの第２の記憶装置（ＳＤＲ）へのコピー完了後、ミラーリング中断コマンドを受信しない限り、デフォルトコマンドにより、次のミラーリングサイクルが繰り返されることとを、さらに含むことを特徴とする請求項３６記載のシステム。
【請求項３８】
ミラーリングは、
最後から２番目の補助ボリュームのコピー完了後に起こるさらに別の時点が選択されることと、
結果としてのソースボリュームが凍結されることと、
最終のローカル補助ボリュームが、前記ローカル記憶装置内に作成されると共に、最終のリモートボリュームが、前記の少なくとも一つの第２の記憶装置内に作成されることと、
最後から２番目の結果としてのソースボリュームおよび最終のローカル補助ボリュームを含む、最終の結果としてのソースボリュームが形成されることと、
最後から２番目のローカル補助ボリュームが、少なくとも一つの最終のリモートボリュームへとコピーされることと、
選択されたデータオブジェクトへ向けられた更新が、最終の結果としてのソースボリューム内の最終のローカル補助ボリュームへとリダイレクトされることと、
最終の結果としてのソースボリュームとの連携動作により、ミラーリング中に、選択されたデータオブジェクトの使用が可能になることと、
最後から２番目のローカル補助ボリュームが、選択されたデータオブジェクトに同期することと、
少なくとも一つの最終のリモートボリュームが、最後から２番目のリモートボリュームに同期するステップと、
前記の少なくとも一つの第２の記憶装置（ＳＤＲ）へのコピー完了後、ミラーリング中断コマンドを受信しない限り、デフォルトコマンドにより、次のミラーリングサイクルが繰り返されることとを、さらに含むことを特徴とする請求項３７記載のシステム。
【請求項３９】
ミラーリングは、
前記の少なくとも一つのリモート記憶装置が、最後から２番目のローカル補助ボリュームより前のコピーが完了した時点にて入力された更新を含む選択されたデータオブジェクトの完全にミラーリングされたコピーを格納することを、さらに含むことを特徴とする請求項３８記載のシステム。
【請求項４０】
データボリューム、仮想ボリューム、データファイル、システムファイル、アプリケーションプログラム、オペレーションシステム、データ構造、およびデータベースレコードからなるグループから選択されたデータオブジェクトに対して適用可能なミラーリング機能を、さらに含むことを特徴とする請求項２５記載のシステム。
【請求項４１】
ローカルエリア・ネットワーク、ワイドエリア・ネットワーク、およびストレージエリア・ネットワークからなるグループから選択されたネットワーク接続部に対して適用可能なミラーリング機能を、さらに含むことを特徴とする請求項２５記載のシステム。
【請求項４２】
前記ミラーリング機能の動作は、少なくとも最終のローカル補助ボリュームを最終のリモートボリュームへコピーする時間にわたって継続するものと規定された離散反復時間間隔で繰り返されることを、さらに含むことを特徴とする請求項２５記載のシステム。
【請求項４３】
更新が同期して、選択されたデータオブジェクトが上書きされ、
後のリモートボリュームが同期して、最後から２番目の結果としての第１のリモートボリュームが上書きされることを、さらに含むことを特徴とする請求項２５記載のシステム。
【請求項４４】
選択されたデータオブジェクトは、コンテンツの一部、コンテンツの全部、および前記ローカル記憶装置のコンテンツよりも多くのコンテンツからなるコンテンツ範囲のグループから選択されたコンテンツ範囲を含むことを特徴とする請求項２５記載のシステム。
【請求項４５】
前記ローカル記憶装置（ＳＤＬ）にて、時刻（ｔ）がｔ＝１の時点で、
ミラーリングサイクルカウンタがｓ＝１に設定され、ローカル補助ボリューム（ｓ）が作成されることと、
選択されたデータオブジェクトが凍結され、ローカル補助ボリューム（ｓ）、結果としてのソースボリューム（ｓ）、および選択されたデータオブジェクトが、結果としてのソースボリューム（ｓ）に含まれることと、
結果としてのソースボリューム（ｓ）に関連してデータオブジェクトの使用が可能になることと、
少なくとも一つのリモート記憶装置にて、
時刻（ｔ）にて、リモートボリューム（ｓ）が、少なくともデータオブジェクトと等しいサイズで作成されることと、
時刻（ｔ）で開始して、
凍結されたデータオブジェクトが、結果としてのソースボリューム（ｓ）からリモートボリューム（ｓ）へと、コピーが完了するまでコピーされることとを、さらに含み、
時刻（ｔ）にて凍結されたデータオブジェクトが、前記の少なくとも一つのリモート記憶装置にてミラーリングされることを特徴とする請求項２５記載のシステム。
【請求項４６】
前記ローカル記憶装置にて、前記の少なくとも一つのリモート記憶装置へのコピー完了後に起こる時刻（ｔ）がｔ＝ｔ＋１の時点で、
ａ．ミラーリングサイクルカウンタがｓ＝ｓ＋１へと増加することと、
ｂ．ローカル補助ボリューム（ｓ）が作成されることと、
ｃ．結果としてのソースボリューム（ｓ−１）が凍結され、ローカル補助ボリューム（ｓ）および結果としてのソースボリューム（ｓ−１）が、結果としての仮想ボリューム（ｓ）に含まれることと、
ｄ．結果としてのローカルボリューム（ｓ）に関連してデータオブジェクトの使用が可能になるステップと、
前記の少なくとも一つのリモート記憶装置にて、
ｅ．時刻（ｔ）にて、リモートボリューム（ｓ）が、少なくともソースボリュームと等しいサイズで作成されることと、
時刻（ｔ）で開始して、
ｆ．ローカル補助ボリューム（ｓ−１）が、結果としてのソースボリューム（ｓ）からリモートボリューム（ｓ）へと、コピーが完了するまでコピーされることと、
ｇ．リモートボリューム（ｓ）をリモートボリューム（ｓ−１）に上書きすることにより、前記第２の処理機構が同期のために動作することと、
前記第１の記憶装置（ＳＤＬ）にて、
ｈ．リモートボリューム（ｓ）をローカル補助ボリューム（ｓ−１）に上書きすることにより、前記第１の処理機構が同期のために動作することと、
前記のステップｆの完了後、ミラーリング中断コマンドがない限り、前記のステップａ〜ステップｈをデフォルトで繰り返すことにより、ミラーリングが繰り返されることとを、さらに含むことを特徴とする請求項４５記載のシステム。
【請求項４７】
ボリューム、仮想ボリュームまたは論理ボリューム、およびファイルからなるグループから、ボリュームが選択されることを特徴とする請求項４６記載のシステム。
【請求項４８】
時刻（ｔ−２）にて入力された更新を含む選択されたデータオブジェクトの完全にミラーリングされたコピーが、前記の少なくとも一つのリモート記憶装置内に時刻（ｔ）にて格納されることを、さらに含むことを特徴とする請求項４６記載のシステム。
【手続補正２】
【補正対象書類名】明細書
【補正対象項目名】発明の名称
【補正方法】変更
【補正の内容】
【発明の名称】選択されたデータオブジェクトをローカル記憶装置からリモート記憶装置へとミラーリングする方法およびシステム
【手続補正３】
【補正対象書類名】明細書
【補正対象項目名】００４１
【補正方法】変更
【補正の内容】
【００４１】
発明の実施の形態
“Storage Virtualization in a Storage Network （ストレージ・ネットワークにおけるストレージ仮想化）”なる名称の本願と同一出願人による同時係属中の特許出願ＰＣＴ／ＩＬ００／００３０９の図１を参照する。この特許出願は、その全体が一体に組み入れられ、以下、「‘３０９特許」として引用される。さらに、ネットワーク接続部ＮＥＴを示す本発明の図１を参照する。ネットワーク接続部ＮＥＴに対して接続されているものとして、複数のユーザＵと、ホスト、サーバＨ、またはプロセッサ等の演算機構と、ハードディスクＨＤ等の記憶装置ＳＤとがある。第１処理機構、すなわち、ローカル処理機構の制御下で、あるローカル記憶装置から、第２の処理機構、すなわち、リモート処理機構により制御されている他のリモート記憶装置へのミラーリングが開始する。例えば、ホストＨ４は、他の処理機構Ｈ３により制御されている記憶装置ＳＤＡから記憶装置ＳＤＢへのミラーリングを命令してもよい。また一方で、ホストＨ１は、第１のハードディスクＨＤ１から、プロセッサＨ２に接続される第２のハードディスクＨＤ２へのミラーリングを制御してもよい。同様に、ホストＨ２は、第１のハードディスクＨＤ２から第２のハードディスクＨＤ３または他のハードディスクＨ４へのミラーリングを命令してもよい。２つ以上の記憶装置内にある選択されたデータオブジェクトのミラーリングは、一つまたはそれ以上の記憶装置に対して実行されてもよい。最小限の要件は、２つの処理機構およびネットワーク接続部上の少なくとも２つの記憶装置（コピー元としてのローカル記憶装置、および、書込先としてのリモート記憶装置）についてのものである。
【手続補正４】
【補正対象書類名】明細書
【補正対象項目名】０１００
【補正方法】変更
【補正の内容】
【０１００】
ステップ２０６では、凍結手順が適用されて、凍結ソースボリュームＳＶと、新規に作成された第１のローカル補助（仮想）ボリュームＡＶＬ／ｓとからなる、結果としてのソースボリュームが、ミラーリングサイクルｓ＝１にてローカル記憶装置ＳＤＬ内に作成される。並行して、制御はステップ２０８へと渡される。このステップ２０８では、リモート記憶装置ｘのＳＤＲｘ内に、第１のリモート仮想ボリュームＲＶｘ／ｓ（ここではＲＶｘ／１）を、ソースボリュームＳＶと同じサイズで作成する旨が命令される。ＳＡＮの場合、仮想ボリューム（単にボリュームと称される）の作成および管理は、Ｏ．Ｓ．に対してトランスペアレントであり、物理記憶装置へのデータの記憶は、同時係属中の‘３０９特許出願にて説明されるように処理される。他の非仮想化環境については、ローカルホストＨＬにより実行される記憶域割当プログラムが使用される。
【手続補正５】
【補正対象書類名】明細書
【補正対象項目名】０１１７
【補正方法】変更
【補正の内容】
【０１１７】
記憶装置のグループ内にある単独のデータオブジェクトのグループからなる選択されたデータオブジェクトをミラーリングする例を、行ＶＩに示す。なお、ここで、単独のデータオブジェクトの個数は、出力先のリモート記憶装置の個数と等しい。２つ以上のデータオブジェクトの同時凍結は、行ＩＩＩに適用された凍結手順と同様であり、コピー手順は、行ＩＩに対して適用されたものと同様である。